(57)【要約】【課題】  駐車場において、車両の入出場並びに駐車料金の精算を円滑に行う。【解決手段】  個々の車両を特定する車両情報を保有する情報保有手段３０と、入口に設けられ、前記情報保有手段３０との間で前記車両情報を含む所定信号を送受信する入口側信号送受信手段１３と、一定条件の下に開放される入口ゲート１０と、これらを適宜制御する制御手段５２とを備える。そして、制御手段５２により、前記情報保有手段３０と前記入口側信号送受信手段１３との間で前記所定信号が送受信されたことに基づいて前記入口ゲート１０を開放させる。【選択図】      図１
2005293170.tif 000002
【特許請求の範囲】
【請求項１】
車両の駐車場への入場及び駐車場からの出場を自動的に制御するための駐車場の管理システムにおいて、
その車両を特定する車両情報を保有する情報保有手段と、
駐車場の入口に設けられ、前記情報保有手段との間で前記車両情報を含む所定信号を送受信する入口側信号送受信手段と、
前記駐車場の入口に設置され、一定条件の下に車両の駐車場への入場を許可する入口ゲートと、
前記入口側信号送受信手段の処理に基づいて前記管理システムを適宜制御する制御手段とを備え、
前記制御手段は、前記情報保有手段と前記入口側信号送受信手段との間で前記所定信号が送受信されたことに基づいて前記入口ゲートを開放することを特徴とする駐車場の管理システム。
【請求項２】
前記車両情報及びこの車両情報に関連付けられる駐車情報を記録可能な情報記録媒体を備え、
前記制御手段は、前記情報保有手段と前記入口側信号送受信手段との間で送受信される前記所定信号から前記車両情報を取り出し、
前記制御手段は取り出された前記車両情報及びこの車両情報に関連付けられる駐車情報を前記情報記録媒体に記録させることを特徴とする請求項１に記載の駐車場の管理システム。
【請求項３】
前記情報保有手段は、その車両に固有の前記車両情報を保有し、その車両のドアロックを遠隔操作によりＯＮ・ＯＦＦさせるリモコン発信手段であり、
前記入口側信号送受信手段は、このリモコン発信手段から発信された前記所定信号を検知する入口側センサであり、
前記制御手段は、前記入口側センサが検知した前記情報発信手段の前記所定信号から前記車両情報を取り出すことに伴って前記ゲートを開放すると共に、この車両情報を前記情報記録媒体に記録させることを特徴とする請求項２に記載の駐車場の管理システム。
【請求項４】
前記駐車場の出口に設けられ、前記リモコン発信手段から発信されるその車両の車両情報を含む所定信号を検知する出口側センサと、
前記駐車場の出口に設置され、一定条件の下に車両の駐車場からの出場を許可する出口ゲートとを備え、
前記情報記録媒体内の車両情報に基づいて所定の判定を行う情報判定手段とを備え、
前記情報判定手段は出口側センサにより検知された前記所定信号に含まれる車両情報が、前記情報記録媒体に記録された車両情報と一致するか否かを判定し、
前記情報判定手段がこれら二つの車両情報が一致すると判定した際に、前記制御手段は前記出口ゲートを開放することを特徴とする請求項３に記載の駐車場の管理システム。
【請求項５】
前記リモコン発信手段が保有する前記車両情報を予め読み込んで前記情報記録媒体にその車両情報を記録せしめる事前入力手段と、
前記情報記録媒体内の車両情報に基づいて所定の判定を行う情報判定手段とを備え、
前記情報判定手段は前記入口側センサにより検知された前記所定信号に含まれる車両情報が、前記事前入力手段により前記情報記録媒体に予め記録された車両情報と一致するか否かを判定し、
前記情報判定手段がこれら二つの車両情報が一致すると判定した際に、前記制御手段は前記入口ゲートを開放することを特徴とする請求項３に記載の駐車場の管理システム。
【請求項６】
前記駐車場の出口に設けられ、前記リモコン発信手段から発信されるその車両の車両情報を含む所定信号を検知する出口側センサと、
前記駐車場の出口に設置され、一定条件の下に車両の駐車場からの出場を許可する出口ゲートとを備え、
前記情報判定手段が、前記出口側センサにより検知される前記所定信号に含まれる車両情報が、前記事前入力手段により前記情報記録媒体に予め記録された車両情報と一致するか否かを判定し、
前記情報判定手段がこれら二つの車両情報が一致すると判定した際に、前記制御手段は前記出口ゲートを開放することを特徴とする請求項５に記載の駐車場の管理システム。
【請求項７】
駐車料金算定の際に使用され、前記リモコン発信手段から発信されるその車両の車両情報を含む所定信号を検知する算定用センサと、
前記算定用センサが検知した信号に含まれる車両情報と一致する車両情報及びこれに関連付けられる駐車情報を前記情報記録媒体から選択する情報選択手段と、
その車両の駐車料金を前記情報選択手段により選択された前記車両情報及びこの車両情報に関連付けられる前記駐車情報に基づいて算定する料金算定手段と、
を備えたことを特徴とする請求項３に記載の駐車場の管理システム。
【請求項８】
前記料金算定手段により算定された金額を出場の事前段階で受け付ける事前料金受付手段と、
前記駐車場の出口に設けられ、前記リモコン発信手段が発信するその車両の車両情報を含む所定信号を検知する出口側センサと、
前記駐車場の出口に設置され、一定条件の下に車両の駐車場からの出場を許可する出口ゲートとを備え、
前記情報記録媒体内の車両情報に基づいて所定の判定を行う情報判定手段とを備え、
前記情報判定手段は、前記出口側センサにより検知された信号に含まれる車両情報が、前記情報記録媒体に記録された車両情報と一致するか否かを判断することにより、既に前記事前料金受付手段により駐車料金が支払われたか否かを判定し、
前記制御手段は、前記情報判定手段が、駐車料金が既に支払われたと判定した場合に前記出口ゲートを開放することを特徴とする請求項７に記載の駐車場の管理システム。
【請求項９】
さらに、前記出口には、前記料金算定手段により算定された料金を出場の際に受け付ける出口側料金受付手段が設けられ、
前記情報判定手段が前記事前料金受付手段により料金が支払われていないと判定し、かつ、前記出口側料金受付手段により料金が支払われたと判定した際に、前記制御手段が前記出口のゲートを開放することを特徴とする請求項７に記載の駐車場の管理システム。
【請求項１０】
前記入口側信号送受信手段は、その車両に固有の車両情報を含む信号を発信する一方で、
前記情報保有手段は、各車両に設けられ、前記入口側信号送受信装置から送信される信号を受信する受信センサと、この受信した信号から取り出される前記車両情報を記録する車両情報記録手段とを備えた非接触式ＩＣチップであり、
前記制御手段は、前記入口側信号送受信手段が前記車両情報を含む信号を発信することに伴って前記ゲートを開放すると共に、この車両情報を前記情報記録媒体に記録させることを特徴とする請求項２に記載の駐車場の管理システム。
【請求項１１】
前記駐車場の出口に設けられ、前記非接触式ＩＣチップとの間で信号を送受信することで前記非接触式ＩＣチップが保有する車両情報を読み取り可能な出口側信号送受信手段と、
前記駐車場の出口に設置され、一定条件の下に車両の駐車場からの出場を許可する出口ゲートとを備え、
前記情報記録媒体内の車両情報に基づいて所定の判定を行う情報判定手段とを備え、
前記情報判定手段は出口側信号送受信手段により読み取られた前記所定信号に含まれる車両情報が、前記情報記録媒体に記録された車両情報と一致するか否かを判定し、
前記制御手段は、前記情報判定手段がこれら二つの車両情報が一致すると判定した際に前記出口ゲートを開放することを特徴とする請求項１０に記載の駐車場の管理システム。
【請求項１２】
前記非接触式ＩＣチップが保有する前記車両情報を予め読み込んで前記情報記録媒体にその車両情報を記録せしめる事前入力手段と、
前記情報記録媒体内の車両情報に基づいて所定の判定を行う情報判定手段とを備え、
前記情報判定手段は前記入口側信号送受信手段が読み取った前記所定信号に含まれる車両情報が、前記事前入力手段により前記情報記録媒体に予め記録された車両情報と一致するか否かを判定し、
前記制御手段は、前記情報判定手段がこれら二つの車両情報が一致すると判定した際に前記入口ゲートを開放することを特徴とする請求項１０に記載の駐車場の管理システム。
【請求項１３】
前記駐車場の出口に設けられ、前記非接触式ＩＣチップとの間で信号を送受信することで前記非接触式ＩＣチップが保有する車両情報を読み取り可能な出口側信号送受信手段と、
前記駐車場の出口に設置され、一定条件の下に車両の駐車場からの出場を許可する出口ゲートとを備え、
前記情報判定手段が、前記出口側信号送受信手段により読み取られた前記所定信号に含まれる車両情報が、前記事前入力手段により前記情報記録媒体に予め記録された車両情報と一致するか否かを判定し、
前記制御手段は、前記情報判定手段がこれら二つの車両情報が一致すると判定した際に前記出口ゲートを開放することを特徴とする請求項１２に記載の駐車場の管理システム。
【請求項１４】
駐車料金算定の際に使用され、前記非接触式ＩＣチップとの間で信号を送受信することで前記非接触式ＩＣチップが保有する車両情報を読み取り可能な算定用信号送受信手段と、
前記算定用信号送受信手段が読み取った信号に含まれる車両情報と一致する車両情報及びこれに関連付けられる駐車情報を前記情報記録媒体から選択する情報選択手段と、
その車両の駐車料金を前記情報選択手段により選択された前記車両情報及びこの車両情報に関連付けられる前記駐車情報に基づいて算定する料金算定手段と、
を備えたことを特徴とする請求項１０に記載の駐車場の管理システム。
【請求項１５】
前記料金算定手段により算定された金額を出場の事前段階で受け付ける事前料金受付手段と、
前記駐車場の出口に設けられ、前記非接触式ＩＣチップとの間で信号を送受信することで前記非接触式ＩＣチップが保有する車両情報を読み取り可能な出口側信号送受信手段と、
前記駐車場の出口に設置され、一定条件の下に車両の駐車場からの出場を許可する出口ゲートとを備え、
前記情報記録媒体内の車両情報に基づいて所定の判定を行う情報判定手段とを備え、
前記情報判定手段は、前記出口側信号送受信手段により送受信された信号に含まれる車両情報が、前記情報記録媒体に記録された車両情報と一致するか否かを判断することにより、既に前記事前料金受付手段により駐車料金が支払われたか否かを判定し、
前記制御手段は、前記情報判定手段が、駐車料金が既に支払われたと判定した場合に前記出口のゲートを開放することを特徴とする請求項１４に記載の駐車場の管理システム。
【請求項１６】
さらに、前記出口には、前記料金算定手段により算定された料金を出場の際に受け付ける出口側料金受付手段が設けられ、
前記情報判定手段が前記事前料金受付手段により料金が支払われていないと判定し、かつ、前記出口側料金受付手段により料金が支払われたと判定した際に、前記制御手段が前記出口のゲートを開放することを特徴とする請求項１５に記載の駐車場の管理システム。
【請求項１７】
前記情報保有手段とは別個に設けられ、事前に前記車両情報の記録された第二情報保有手段と、前記情報保有手段との間で信号を送受信して車両情報を読み取る精算用読取手段とを備え、
前記制御手段は、前記情報保有手段及び／又は前記第二情報保有手段から前記車両情報を取り出し、前記制御手段は取り出された前記車両情報及びこの車両情報に関連付けられる駐車情報を前記情報記録媒体に記録させ、
前記情報記録媒体に記録された前記車両情報及び前記駐車情報と、前記精算用読取手段により読み取られた車両情報とによって、その車両の駐車料金の算定を行う料金算定手段を備えていることを特徴とする請求項２に記載の駐車場の管理システム。
【請求項１８】
前記駐車場の出口に設けられた、前記情報保有手段との間で車両情報を含む所定信号を送受信する出口側信号送受信手段と、
前記第二情報保有手段の情報を読み取る出口側第二情報読取手段と、
前記駐車場の出口に設置され、一定条件の下に車両の駐車場からの出場を許可する出口ゲートと、を備え、
前記制御手段は、前記出口側第二情報読取手段により車両情報が読み取られた場合、又は、前記出口側信号送受信手段により受信された信号に基づく車両情報に基づいて既に駐車料金が支払い済みと判断した場合のいずれかに前記出口ゲートを開放することを特徴とする請求項１７に記載の駐車場の管理システム。
【請求項１９】
前記情報保有手段とは別個に設けられた第三情報保有手段と、前記情報保有手段並びに前記第三情報保有手段の車両情報を読み取る精算用読取手段とを備え、
前記制御手段は、前記情報保有手段又は前記第二情報保有手段から前記車両情報を取り出し、取り出された前記車両情報及びこの車両情報に関連付けられる駐車情報を前記情報記録媒体に記録させると共に、前記車両情報を前記第三情報保有手段に書き込み、
前記情報記録媒体に記録された前記車両情報及び前記駐車情報と、前記精算用読取手段により読み取られた前記情報保有手段又は前記第三情報保有手段の情報とに基づいて、その車両の駐車料金を算定する料金算定手段を備えていることを特徴とする請求項２に記載の駐車場の管理システム。
【請求項２０】
前記駐車場の出口に設けられた、前記情報保有手段との間で車両情報を含む所定信号を送受信する出口側信号送受信手段と、
前記第三情報保有手段の情報を読み取る出口側第三情報読取手段と、
前記駐車場の出口に設置され、一定条件の下に車両の駐車場からの出場を許可する出口ゲートと、を備え、
前記制御手段は、前記出口側第三情報読取手段により車両情報が読み取られた場合、又は、前記出口側信号送受信手段により受信された信号に基づく車両情報のいずれかの車両情報に基づいて既に駐車料金が支払い済みと判断した場合に前記出口ゲートを開放することを特徴とする請求項１９に記載の駐車場の管理システム。
【発明の詳細な説明】
【技術分野】
【０００１】
本発明は、迅速に車両を駐車場へ入場及び駐車場から出場させることが可能な駐車場の管理システムに関する。
【背景技術】
【０００２】
近年、駐車時間に応じた駐車料金を無人で徴収できる管理システムが数多く開発されている。一方、マンションなどの集合住宅に設けられた駐車場において、駐車場への入場の許可及び駐車場からの出場の許可を無人で行う管理システムも数多く開発されている。このような駐車場の管理システムでは、駐車場への車両の入場、及び駐車場からの車両の出場を如何にして円滑に行うかが大きな課題となっている。
【０００３】
無人により料金の徴収や、車両の入出場を管理する駐車場の管理システムとしては、例えば特許文献１に開示された発明がある。
【０００４】
【特許文献１】特開２０００−２２４５９号公報
【０００５】
特許文献１に開示の発明は、車両の入場出場をスムーズに行うと共に、確実な駐車料金の徴収を可能にするという課題を解決するために、車両の入場時にその車両を認証するに当たり、入場した時間の認証の有無にかわらず、入場してから所定の時間経過後に入場したことを認証し、その車両が駐車している間に認証の確認を行っている。そして、車両が出場する時には、駐車中に行った認証確認に基づいて車両の出場を許可することにより、入場、出場時の認証時間をなくすことができ、車両の駐車場へのスムーズな入場、また駐車場からのスムーズな出場を実現しつつ、認証を確実に行うこととするものである。
【発明の開示】
【発明が解決しようとする課題】
【０００６】
しかし、従来の管理システムは、対象となる車両を特定するための手段が複雑となっていた。例えば、この特許文献１に示された発明では、クレジットカード等を用いて対象となる車両を特定している。このため、利用者にとっては、依然として煩わしさが残っていた。また、クレジットカードを利用しない場合には、このシステム自体を利用できず、そのような利用者にとってはメリットのない管理システムである。
【０００７】
本発明では、利用者に煩わしさを与えることなく、車両の入出場を円滑に行うことに加え、駐車料金の精算を円滑に行える駐車場の管理システムを提供する。
【課題を解決するための手段】
【０００８】
本発明では上記課題を解決するために、車両の駐車場への入場及び駐車場からの出場を自動的に制御するための駐車場の管理システムにおいて、その車両を特定する車両情報を保有する情報保有手段と、駐車場の入口に設けられ、前記情報保有手段との間で前記車両情報を含む所定信号を送受信する入口側信号送受信手段と、前記駐車場の入口に設置され、一定条件の下に車両の駐車場への入場を許可する入口ゲートと、前記入口側信号送受信手段の処理に基づいて前記管理システムを適宜制御する制御手段とを備え、前記制御手段は、前記情報保有手段と前記入口側信号送受信手段との間で前記所定信号が送受信されたことに基づいて前記入口ゲートを開放する駐車場の管理システムを採用した。
【０００９】
また、本発明では上記駐車場の管理システムにおいて、前記車両情報及びこの車両情報に関連付けられる駐車情報を記録可能な情報記録媒体を備え、前記制御手段は、前記情報保有手段と前記入口側信号送受信手段との間で送受信される前記所定信号から前記車両情報を取り出し、前記制御手段は取り出された前記車両情報及びこの車両情報に関連付けられる駐車情報を前記情報記録媒体に記録させるようにしている。
また、
また、本発明ではこのような駐車場の管理システムに関し、前記の情報保有手段として次の二通りのものを採用している。一つは車両のドアロックを遠隔操作によりＯＮ・ＯＦＦさせるリモコン発信手段であり、もう一つは、非接触式ＩＣチップである。
【００１０】
第一にリモコン発信手段を採用した解決手段を順に列挙すると以下の通りである。
【００１１】
（１）前記情報保有手段は、その車両に固有の前記車両情報を保有し、その車両のドアロックを遠隔操作によりＯＮ・ＯＦＦさせるリモコン発信手段であり、前記入口側信号送受信手段は、このリモコン発信手段から発信された前記所定信号を検知する入口側センサであり、前記制御手段は、前記入口側センサが検知した前記情報発信手段の前記所定信号から前記車両情報を取り出すことに伴って前記ゲートを開放すると共に、この車両情報を前記情報記録媒体に記録させる駐車場の管理システム。
【００１２】
（２）前記駐車場の出口に設けられ、前記リモコン発信手段から発信されるその車両の車両情報を含む所定信号を検知する出口側センサと、前記駐車場の出口に設置され、一定条件の下に車両の駐車場からの出場を許可する出口ゲートとを備え、前記情報記録媒体内の車両情報に基づいて所定の判定を行う情報判定手段とを備え、前記情報判定手段は出口側センサにより検知された前記所定信号に含まれる車両情報が、前記情報記録媒体に記録された車両情報と一致するか否かを判定し、前記情報判定手段がこれら二つの車両情報が一致すると判定した際に、前記制御手段は前記出口ゲートを開放する駐車場の管理システム。
【００１３】
（３）前記リモコン発信手段が保有する前記車両情報を予め読み込んで前記情報記録媒体にその車両情報を記録せしめる事前入力手段と、前記情報記録媒体内の車両情報に基づいて所定の判定を行う情報判定手段とを備え、前記情報判定手段は前記入口側センサにより検知された前記所定信号に含まれる車両情報が、前記事前入力手段により前記情報記録媒体に予め記録された車両情報と一致するか否かを判定し、前記情報判定手段がこれら二つの車両情報が一致すると判定した際に、前記制御手段は前記入口ゲートを開放する駐車場の管理システム。
【００１４】
（４）前記駐車場の出口に設けられ、前記リモコン発信手段から発信されるその車両の車両情報を含む所定信号を検知する出口側センサと、前記駐車場の出口に設置され、一定条件の下に車両の駐車場からの出場を許可する出口ゲートとを備え、前記情報判定手段が、前記出口側センサにより検知される前記所定信号に含まれる車両情報が、前記事前入力手段により前記情報記録媒体に予め記録された車両情報と一致するか否かを判定し、前記情報判定手段がこれら二つの車両情報が一致すると判定した際に、前記制御手段は前記出口ゲートを開放する駐車場の管理システム。
【００１５】
（５）駐車料金算定の際に使用され、前記リモコン発信手段から発信されるその車両の車両情報を含む所定信号を検知する算定用センサと、前記算定用センサが検知した信号に含まれる車両情報と一致する車両情報及びこれに関連付けられる駐車情報を前記情報記録媒体から選択する情報選択手段と、その車両の駐車料金を前記情報選択手段により選択された前記車両情報及びこの車両情報に関連付けられる前記駐車情報に基づいて算定する料金算定手段とを備えた駐車場の管理システム。
【００１６】
（６）前記料金算定手段により算定された金額を出場の事前段階で受け付ける事前料金受付手段と、前記駐車場の出口に設けられ、前記リモコン発信手段が発信するその車両の車両情報を含む所定信号を検知する出口側センサと、前記駐車場の出口に設置され、一定条件の下に車両の駐車場からの出場を許可する出口ゲートとを備え、前記情報記録媒体内の車両情報に基づいて所定の判定を行う情報判定手段とを備え、前記情報判定手段は、前記出口側センサにより検知された信号に含まれる車両情報が、前記情報記録媒体に記録された車両情報と一致するか否かを判断することにより、既に前記事前料金受付手段により駐車料金が支払われたか否かを判定し、前記制御手段は、前記情報判定手段が、駐車料金が既に支払われたと判定した場合に前記出口ゲートを開放する駐車場の管理システム。
【００１７】
（７）さらに、前記出口には、前記料金算定手段により算定された料金を出場の際に受け付ける出口側料金受付手段が設けられ、前記情報判定手段が前記事前料金受付手段により料金が支払われていないと判定し、かつ、前記出口側料金受付手段により料金が支払われたと判定した際に、前記制御手段が前記出口のゲートを開放する駐車場の管理システム。
【００１８】
第二に非接触式ＩＣチップを採用した解決手段を列挙すると次の通りである。
【００１９】
（１）前記入口側信号送受信手段は、その車両に固有の車両情報を含む信号を発信する一方で、前記情報保有手段は、各車両に設けられ、前記入口側信号送受信装置から送信される信号を受信する受信センサと、この受信した信号から取り出される前記車両情報を記録する車両情報記録手段とを備えた非接触式ＩＣチップであり、前記制御手段は、前記入口側信号送受信手段が前記車両情報を含む信号を発信することに伴って前記ゲートを開放すると共に、この車両情報を前記情報記録媒体に記録させる駐車場の管理システム。
【００２０】
（２）前記駐車場の出口に設けられ、前記非接触式ＩＣチップとの間で信号を送受信することで前記非接触式ＩＣチップが保有する車両情報を読み取り可能な出口側信号送受信手段と、前記駐車場の出口に設置され、一定条件の下に車両の駐車場からの出場を許可する出口ゲートとを備え、前記情報記録媒体内の車両情報に基づいて所定の判定を行う情報判定手段とを備え、前記情報判定手段は出口側信号送受信手段により読み取られた前記所定信号に含まれる車両情報が、前記情報記録媒体に記録された車両情報と一致するか否かを判定し、前記制御手段は、前記情報判定手段がこれら二つの車両情報が一致すると判定した際に前記出口ゲートを開放する駐車場の管理システム。
【００２１】
（３）前記非接触式ＩＣチップが保有する前記車両情報を予め読み込んで前記情報記録媒体にその車両情報を記録せしめる事前入力手段と、前記情報記録媒体内の車両情報に基づいて所定の判定を行う情報判定手段とを備え、前記情報判定手段は前記入口側信号送受信手段が読み取った前記所定信号に含まれる車両情報が、前記事前入力手段により前記情報記録媒体に予め記録された車両情報と一致するか否かを判定し、前記制御手段は、前記情報判定手段がこれら二つの車両情報が一致すると判定した際に前記入口ゲートを開放する駐車場の管理システム。
【００２２】
（４）前記駐車場の出口に設けられ、前記非接触式ＩＣチップとの間で信号を送受信することで前記非接触式ＩＣチップが保有する車両情報を読み取り可能な出口側信号送受信手段と、前記駐車場の出口に設置され、一定条件の下に車両の駐車場からの出場を許可する出口ゲートとを備え、前記情報判定手段が、前記出口側信号送受信手段により読み取られた前記所定信号に含まれる車両情報が、前記事前入力手段により前記情報記録媒体に予め記録された車両情報と一致するか否かを判定し、前記制御手段は、前記情報判定手段がこれら二つの車両情報が一致すると判定した際に前記出口ゲートを開放する駐車場の管理システム。
【００２３】
（５）駐車料金算定の際に使用され、前記非接触式ＩＣチップとの間で信号を送受信することで前記非接触式ＩＣチップが保有する車両情報を読み取り可能な算定用信号送受信手段と、前記算定用信号送受信手段が読み取った信号に含まれる車両情報と一致する車両情報及びこれに関連付けられる駐車情報を前記情報記録媒体から選択する情報選択手段と、その車両の駐車料金を前記情報選択手段により選択された前記車両情報及びこの車両情報に関連付けられる前記駐車情報に基づいて算定する料金算定手段とを備えた駐車場の管理システム。
【００２４】
（６）前記料金算定手段により算定された金額を出場の事前段階で受け付ける事前料金受付手段と、前記駐車場の出口に設けられ、前記非接触式ＩＣチップとの間で信号を送受信することで前記非接触式ＩＣチップが保有する車両情報を読み取り可能な出口側信号送受信手段と、前記駐車場の出口に設置され、一定条件の下に車両の駐車場からの出場を許可する出口ゲートとを備え、前記情報記録媒体内の車両情報に基づいて所定の判定を行う情報判定手段とを備え、前記情報判定手段は、前記出口側信号送受信手段により送受信された信号に含まれる車両情報が、前記情報記録媒体に記録された車両情報と一致するか否かを判断することにより、既に前記事前料金受付手段により駐車料金が支払われたか否かを判定し、前記制御手段は、前記情報判定手段が、駐車料金が既に支払われたと判定した場合に前記出口のゲートを開放する駐車場の管理システム。
【００２５】
（７）さらに、前記出口には、前記料金算定手段により算定された料金を出場の際に受け付ける出口側料金受付手段が設けられ、前記情報判定手段が前記事前料金受付手段により料金が支払われていないと判定し、かつ、前記出口側料金受付手段により料金が支払われたと判定した際に、前記制御手段が前記出口のゲートを開放する駐車場の管理システム。
【００２６】
なお、次のように、パスカードなどの第二情報保有手段や、駐車券などの第三情報保有手段を用いた駐車場の管理システムを用いることもできる。
【００２７】
即ち、パスカード等の第二情報保有手段を用いる場合は次の通りである。
【００２８】
（１）前記情報保有手段とは別個に設けられ、事前に前記車両情報の記録された第二情報保有手段と、前記情報保有手段との間で信号を送受信して車両情報を読み取る精算用読取手段とを備えを備え、前記制御手段は、前記情報保有手段及び／又は前記第二情報保有手段から前記車両情報を取り出し、前記制御手段は取り出された前記車両情報及びこの車両情報に関連付けられる駐車情報を前記情報記録媒体に記録させ、前記情報記録媒体に記録された前記車両情報及び前記駐車情報と、前記精算用読取手段により読み取られた車両情報とによって、その車両の駐車料金の算定を行う料金算定手段を備えている駐車場の管理システム。
【００２９】
（２）上述の場合において、前記駐車場の出口に設けられた、前記情報保有手段との間で車両情報を含む所定信号を送受信する出口側信号送受信手段と、前記第二情報保有手段の情報を読み取る出口側第二情報読取手段と、前記駐車場の出口に設置され、一定条件の下に車両の駐車場からの出場を許可する出口ゲートとを備え、前記制御手段は、前記出口側第二情報読取手段により車両情報が読み取られた場合、又は、前記出口側信号送受信手段により受信された信号に基づく車両情報に基づいて既に駐車料金が支払い済みと判断した場合のいずれかに前記出口ゲートを開放する駐車場の管理システム。
【００３０】
一方、駐車券などの第三情報保有手段を用いた場合は次の通りである。
【００３１】
（３）前記情報保有手段とは別個に設けられた第三情報保有手段と、前記情報保有手段並びに前記第三情報保有手段の車両情報を読み取る精算用読取手段とを備え、前記制御手段は、前記情報保有手段又は前記第二情報保有手段から前記車両情報を取り出し、取り出された前記車両情報及びこの車両情報に関連付けられる駐車情報を前記情報記録媒体に記録させると共に、前記車両情報を前記第三情報保有手段に書き込み、前記情報記録媒体に記録された前記車両情報及び前記駐車情報と、前記精算用読取手段により読み取られた前記情報保有手段又は前記第三情報保有手段の情報とに基づいて、その車両の駐車料金を算定する料金算定手段を備えている駐車場の管理システム。
【００３２】
（４）上記の管理システムにおいて、前記駐車場の出口に設けられた、前記情報保有手段との間で車両情報を含む所定信号を送受信する出口側信号送受信手段と、前記第三情報保有手段の情報を読み取る出口側第三情報読取手段と、前記駐車場の出口に設置され、一定条件の下に車両の駐車場からの出場を許可する出口ゲートと、を備え、前記制御手段は、前記出口側第三情報読取手段により車両情報が読み取られた場合、又は、前記出口側信号送受信手段により受信された信号に基づく車両情報のいずれかの車両情報に基づいて既に駐車料金が支払い済みと判断した場合に前記出口ゲートを開放する駐車場の管理システム。
【発明の効果】
【００３３】
本発明によれば、駐車場の入口、出口及び事前精算手段に設けられた信号送受信手段と、各車両の備える情報保有手段との間で信号を送受信させるだけで駐車場への入場、駐車場からの出場、及び駐車料金の精算を行うことができる。このため、車両の入出場を迅速に行うことができると共に、駐車料金の算定を迅速且つ正確に行うことができる。
【００３４】
また、本発明では情報保有手段としてドアロックを遠隔操作によりＯＮ・ＯＦＦさせるリモコン手段を採用する。近年では、かかるリモコン手段を備えた車両が普及しており、このリモコン手段を使用することで、駐車場の利用者は、特別な信号受発信手段を持つ必要がない。
【００３５】
他方、非接触式ＩＣチップを情報保有手段として採用した場合、この非接触ＩＣチップを車両のいずれかの部位に取り付けておけば、駐車場の利用者は、特別な操作を行うことなく駐車場への入場、駐車場からの出場を行える。このため、車両の入出場が極めて迅速になる。
【発明を実施するための最良の形態】
【００３６】
以下、本発明の実施の形態について図面を参照しながら説明する。
【００３７】
〔第一実施形態〕
図１は、第一実施形態にかかる駐車場１の管理システム（以下、単に管理システムという。）の概略を示すブロック図を示し、図２は、この管理システムの適用された駐車場１の一例を示している。
【００３８】
最初にこの管理システムが適用された駐車場１の概要を説明する。この駐車場１に適用されている管理システムは、駐車時間に応じて駐車料金が加算されるようにシステム設計されている。また、この駐車場１は立体駐車場であり、各フロアは、駐車用ブロックＡと、各フロア同士を螺旋状の車道４で連絡している昇降用ブロックＢとに区分けされている。駐車用ブロックＡには８字状の車道５が設けられ、この螺旋状の車道５の内外に駐車複数の駐車スペース６が設けられている。８字状の車道は、各フロアにて螺旋状の車道４と連絡され、各フロアに到達した車両がそのフロアの所望の駐車スペース６に車両を駐車できるように構成されている。
【００３９】
また、駐車場１の１階部分には、入口２と出口３とが昇降用ブロックＢにおいて別々の位置に設けられ、入口２と出口３の双方には、車両が素通できないようにゲート１０，２０が設けられている（図４及び図５参照）。これらゲート１０，２０は、車道の側方に設置された支柱１１，２１と、この支柱１１，２１に基部が支持された遮断バー１２，２２とから構成されている。遮断バー１２，２２は、その先端が上方に向けられて、ほぼ垂直に立ち上げられた開放状態と、水平に横たえられた閉鎖状態との間で、その基部を軸にして支柱１１，２１に対して回転可能に構成されている。
【００４０】
この様なゲート１０，２０が設置されているため、入場しようとする車両は、予め閉鎖された入口ゲート１０の外側において、入口ゲート１０の直近で一時停止すると共に、駐車場１から出場しようとする車両は、予め閉鎖された出口ゲート２０の内側において、出口ゲート２０の直近で一時停止するようになっている。また、この駐車場１には、利用者が車両に乗る前に駐車料金を精算することができるように、各フロアに事前料金精算機４０がそれぞれ設置されている。
【００４１】
この駐車場１に適用されている管理システムでは、図３に示すように、車両のドアロックを遠隔操作によりＯＮ・ＯＦＦさせる発信機３１を備えたキー３２を使用して駐車場１への入場、駐車場１からの出場、及び駐車料金の精算を行う。なお、発信機３１を備えたキー３２を以下ではリモコンキー３０として説明する。このリモコンキー３０は、個々の車両毎に異なる内容の信号を発信する。当該管理システムでは、このリモコンキー３０の特性を利用し、カード等の媒体を使用せずに個々の車両を識別している。
【００４２】
そして、管理システムは、中央管理センター５０により、駐車場１の入口２及び出口３に設置された装置、及び各フロアに設置された事前料金精算機４０を集中制御して円滑に駐車料金の精算を行うと共に、迅速な車両の入出場を行っている。
【００４３】
駐車場１の入口２には、リモコンキー３０から発信される信号を検知する入口側センサ１３と、駐車券５５を発行する発券機１４とが設けられている。入口側センサ１３は、入口ゲート１０の外側の直近に停止される車両の周囲を囲むように配置されていて、リモコンキー３０から発信された信号を漏らすことなく確実に検知する。信号が検知されると、この信号に関連づけられる入場時間などの駐車情報が中央管理センター５０に設けられた制御部５２の指令に基づいて、当該中央管理センター５０に設けられている情報記録媒体５１に記録される。
【００４４】
また、発券機１４は、入口２において、車両が駐車場１に進入する際に走行する進入路の側方に設置されている。この発券機１４は、リモコンキー３０を備えていない車両がこの駐車場１を利用する際に使用するために設置されている。この発券機１４は、縦長のボックス状に形成されたハウジング１４ａを有し、その前面部１５には、入口ゲート１０を開放するための押しボタン１６が設けられている。利用者は、この押しボタン１６を押すことで、駐車券５５が発行されると共に入口ゲート１０が開放する。また、この押しボタン１６を押すことで、入場ナンバー等、入場する車両に割り当てられる車両情報が発生する。割り当てられた車両情報は駐車券５５に書き込まれ、当該車両情報の書き込まれた駐車券５５が発券機１４により発行され、取出口１７から送り出される。この場合にも、車両に割り当てられた車両情報に関連付けられた入場時間などの所定情報が、中央管理センター５０の制御部５２の指令に基づいて情報記録媒体５１に記録される。
【００４５】
さらに、発券機１４には、パスカード（不図示）を使用して当該駐車場１を利用することができるように、その前面部１５にパスカードの挿入部１８も設けられている。このパスカードは、例えば、この駐車場１を頻繁に使用する常連の利用者が、一月分の駐車料金を一括して支払う等、このパスカードで駐車場１の入出場、駐車料金の精算を行う場合等に利用される。
【００４６】
一方、出口３にも、車両のリモコンキー３０からの信号を検知するための出口側センサ２３が設けられている。この出口側センサ２３もリモコンキー３０からの信号を漏れなく検知すべく、車両が一時停止する位置を囲い込むように配置されている。この出口側センサ２３により検知された信号は、この信号に関連付けられる所定情報が制御部５２の指令に基づいて、駐車料金の算定等の処理に用いられる。
【００４７】
また、出口３には、出口ゲート２０の内側において、車両が一時停止する位置の側方に、車両が出場する際に駐車料金を精算するための出口側料金精算機２４が設置されている。この出口側料金精算機２４は、主として駐車場１内の各フロアに設置された事前料金精算機４０で駐車料金を精算せず、出口３で精算する利用者のために設けられている。出口側料金精算機２４は、縦長のハウジング２４ａを有し、その前面部２５には、駐車券５５を挿入する駐車券５５挿入部２６と、駐車料金を投入する料金投入部２７とが設けられている。また、パスカードで駐車場１を利用した利用者のために、パスカードの挿入部２８も設けられている。
【００４８】
そして、各フロアの、例えばエレベータ７の直近などに設置された事前料金精算機４０は、リモコンキー３０及び駐車券５５の双方を利用できるように構成されている。事前料金精算機４０は、図６に示すように、ボックス状のハウジング４０ａの前面部４１に、リモコンキー３０からの信号を検知するための算定用センサ４２、駐車券５５を挿入する駐車券５５挿入部４３、及び算定された駐車料金を投入する料金投入部４４を備えている。
【００４９】
算定用センサ４２は、リモコンキー３０からの信号を検知することで、その信号から対象となる車両に関する駐車情報を特定し、その車両に対応する駐車料金を算定する。同様に、駐車券５５が事前料金精算機４０に挿入されると、駐車券５５に書き込まれている車両情報に基づいて、駐車情報が特定される。
【００５０】
このような、管理システムによれば、車両が駐車場１へ入場してから駐車料金を精算し、車両が駐車場１から出場するまでには以下のステップが行われる。
【００５１】
図７は、車両が駐車場１に入場する手順を示すフローチャートである。
【００５２】
駐車場１の入口２に設けられた入口ゲート１０は予め閉鎖されており、この入場の各ステップは、閉鎖された入口ゲート１０を開放させて、駐車場１の内部に車両を進入させるまでの手順にかかわるものである。まず、駐車場１を利用しようとする車両は、入口ゲート１０の手前で一時停止する。この管理システムでは入口ゲート１０を開放するために、パスカードの使用、リモコンキー３０の使用、又は押しボタン１６の操作のいずれかの方法を行わなければならない。
【００５３】
最初のステップでは、パスカードを使用するか否かの選択が行われる（Ｓ１）。パスカードを使用する場合には、入口２に設置された発券機１４にパスカードを挿入する（Ｓ２）。これにより入口ゲート１０が開放され（Ｓ１３）、車両を駐車場１に進入させることができる（Ｓ１４）。
【００５４】
パスカードを使用しない場合には、次にリモコンキー３０を使用するか、押しボタン１６を利用するのかの選択が行われる（Ｓ４）。リモコンキー３０を使用する場合には、リモコンキー３０をキー孔に差し込んだまま、発信機３１を操作して信号を発信する（Ｓ５）。入口２には、入口ゲート１０の外側において、車両が一時停止する位置に車両を取り囲むように入口側センサ１３が配されているため、キー孔にリモコンキー３０を差し込んだまま発信操作を行った場合でも、確実に信号を検知する（Ｓ６）。
【００５５】
信号が検知されると、信号の内容が各車両毎の車両場に関する所定形式のデータに変換される。そして、変換されたデータに、例えば、入場時刻等の所定情報が信号に関連付けられて、一つの駐車情報に関するデータが形成される。このデータが中央管理センター５０に設けられた制御部５２の指令に基づいて中央管理センター５０の情報記録媒体５１に記録される（Ｓ７）。即ち、情報記録媒体５１では、これらの駐車情報のデータによって、駐車情報のデータファイルが形成される。
【００５６】
なお、リモコンキー３０を使用する場合でも、駐車券５５の発行を希望する利用者もいる。このような利用者のために、この管理システムではリモコンキー３０を使用した場合でも、駐車券５５の発行を行うか否かを選択できるようになっている（Ｓ８）。駐車券５５の発行を選択した場合、所定形式に変換されたデータが駐車券５５に書き込まれる。このデータの書き込まれた駐車券５５が発券機１４により発行される（Ｓ１３）。発行された駐車券５５を利用者が受け取ると、入口ゲート１０が開放され（Ｓ１４）、駐車場１に車両を進入させることができるようになる（Ｓ１５）。一方、駐車券５５の発行を希望しない場合には、入口ゲート１０がそのまま開放され（Ｓ１４）、車両を進入させることが可能となる（Ｓ１５）。
【００５７】
これに対し、リモコンキー３０を使用せずに入場する場合には、発券機１４に設けられた押しボタンを操作する（Ｓ１０）。押しボタンを押し込むと、これに伴い、その車両に割り当てられる車両情報に関すデータ発生する。このデータが駐車券５５に書き込まれる（Ｓ１１）。これに加えて、当該車両情報に関連付けられる、入場時間などの所定情報と共に車両情報は駐車情報を形成し、中央管理センター５０に設けられた制御部５２の指令により情報記録媒体５１に記録される（Ｓ１２）。これにより、情報記録媒体５１には、駐車情報に関するファイルが形成される。
【００５８】
その後、車両情報の書き込まれた駐車券５５が発券機１４により発行される（Ｓ１３）。発行された駐車券５５を利用者が受け取れば、入口ゲート１０が開放され（Ｓ１４）、車両を駐車場１の内部に進入させることが可能となる（Ｓ１５）。
【００５９】
次に、各フロアに設置された事前料金精算機４０を利用して駐車料金を精算する場合について説明する。図８は、事前に精算する場合の手順を示すフローチャートである。
【００６０】
まず、利用者は精算を行うに当たり、リモコンキー３０を使用するか、駐車券５５を使用するかを選択する（Ｓ２０）。リモコンキー３０を使用する場合には、リモコンキー３０に設けられたロックＯＮ・ＯＦＦ用の発信機３１を操作し、事前料金精算機４０に向けて信号を発信させる（Ｓ２１）。
【００６１】
リモコンキー３０から信号が発信されると、事前料金精算機４０に設けられた算定用センサ４２が、この信号を検知する（Ｓ２２）。信号を検知すると、制御部５２は、情報記録媒体５１を検索し、この信号の車両情報と対応する駐車情報を情報記録媒体５１から選択する（Ｓ２３）。そして、制御部５２が選択された駐車情報に基づいてその車両の駐車料金を算定し、事前料金精算機４０は、利用者にその料金を料金投入部４４へ投入するように促す文字を表示したり、音声を発する（Ｓ２６）。駐車情報には、その車両が入口２で行った操作に基づいて入場した時刻等が含まれているため、このデータに基づいて、駐車時間等に応じた駐車料金をきわめて容易に算定することができる。
【００６２】
一方、駐車券５５を使用する場合には、事前料金精算機４０に設けられた駐車券５５の挿入部４３に駐車券５５を挿入する（Ｓ２４）。駐車券５５にはその車両に割り当てられた固有の車両情報が、発行の際に書き込まれている。制御部５２は、情報記録媒体５１を検索し、この車両情報に対応する駐車情報を選択する（Ｓ２５）。その後、リモコンキー３０の場合と同様に、選択された駐車情報に基づいて制御部５２がその車両の駐車料金を算定し、利用者にその料金を料金投入部４４へ投入するように促す文字を表示したり、音声を発する（Ｓ２６）。利用者は、以上のようにして算定された駐車料金を事前料金精算機４０に設けられた投入部に投入することで駐車料金を事前に精算する（Ｓ２７）。
【００６３】
精算の際に、駐車券５５を利用している場合には、事前料金精算機４０から挿入した駐車券５５が送り出され、利用者はこの駐車券５５を受け取る（Ｓ２８，Ｓ２９）。なお、事前料金精算機４０を利用して駐車料金を支払った場合には、駐車料金の支払いを済ませた時点で、料金を支払った旨が情報記録媒体５１にインプットされる。以上の手順を経て、事前精算がなされる。
【００６４】
次に、車両を当該駐車場１から出場させる際の手順について、図９を参照しながら説明する。
【００６５】
出場の際には、まず、利用者がパスカードを使用して駐車場１を利用したか否かが選択される（Ｓ３０）。パスカードを使用する場合には、出口３に設置された出口側料金精算機２４に設けられたパスカードの挿入部２８にパスカードを挿入すれば（Ｓ４５）、所定の手続がこの管理システムで行われる。その後、挿入したパスカードが送り出され、利用者がこれを受け取れば、出口ゲート２０が開放し（Ｓ４３）、車両を駐車場１から出場させることができる（Ｓ４４）。
【００６６】
パスカードを使用しない場合には、利用者は、リモコンキー３０を使用するか、駐車券５５を使用するかを選択する（Ｓ３１）。リモコンキー３０を使用する場合には、リモコンキー３０を操作し、出口側料金精算機２４に向けて信号を発信させる（Ｓ３２）。リモコンキー３０から信号が発信されると、出口側センサ２３がこの信号を検知し（Ｓ３３）、制御部５２は、信号に基づいて情報記録媒体５１を検索し、この信号の車両情報と対応する駐車情報を情報記録媒体５１から選択する（Ｓ３４）。そして、選択された駐車情報に関し、事前料金精算機４０で駐車料金が支払われているか否かが判定される（Ｓ３５）。
【００６７】
駐車料金が未払いであれば、駐車情報に基づいて、その車両に対応する駐車料金を算定し、料金の支払いを促す文字表示を行ったり、音声を発する（Ｓ３６）。利用者がその駐車料金を支払うことにより精算が終了し（Ｓ３７）、出口ゲート２０が開放し（Ｓ４３）、車両を駐車場１から出場させることができるようになる（Ｓ４４）。一方、事前料金精算機４０により既に駐車料金が支払われている場合には、そのまま出口ゲート２０が開放し（Ｓ４３）、車両を駐車場１から出場させることができる（Ｓ４４）。
【００６８】
なお、事前料金精算機４０での駐車料金の支払いは、リモコンキー３０によるものと、駐車券５５のいずれによる場合も含んでいる。従って、このフローチャートの流れのように、事前料金精算機４０での駐車料金の支払いを駐車券５５で行った場合でも出場の際にリモコンキー３０により出場の手続を行える。即ち、このシステムでは、駐車券５５とリモコンキー３０を併用することを可能としている。
【００６９】
これに対し、駐車券５５を利用する場合には、まず、出口３に設置された出口側料金精算機２４に駐車券５５を挿入する（Ｓ３８）。駐車券５５を挿入すると、制御部５２は、駐車券５５に書き込まれた車両情報に基づいて、情報記録媒体５１を検索し、この車両情報に対応する駐車情報を選択する（Ｓ３９）。そして、選択された駐車情報に関し、事前料金精算機４０で駐車料金が支払われているか否かが判定される（Ｓ４０）。この場合にも、駐車料金が未払いであれば、駐車情報に基づいて、その車両に対応する駐車料金を算定し、料金の支払いを促す文字表示を行ったり、音声を発する（Ｓ３６）。
【００７０】
料金が、支払われると入口ゲート１０が開放し（Ｓ４３）、車両を駐車場１から出場させることが可能となる（Ｓ４４）。なお、駐車券５５を使用する場合、料金が支払われた後に、出口側料金精算機２４が挿入した駐車券５５を再度送り出し、利用者がこの駐車券５５を受け取った後に入口ゲート１０を開放するようにしても良い。
【００７１】
以上図７〜図９に基づき入出場の手順を説明したように、このシステムでは、入場の際にパスカードを使用して入場し、出場の際にはリモコンキーのみを使用する場合のように、パスカードとリモコンキーとを併用することをも可能としている。
【００７２】
〔第二実施形態〕
次に、月極の駐車場等のように、予め定められた車両のみが利用する駐車場１に関する管理システムについて説明する。この駐車場１の基本的な構造は、第一実施形態のものと同様であり、駐車場１自体の構造については、図２を参照して説明する。この駐車場１に適用される管理システムも、車両のドアロックを遠隔操作によりＯＮ・ＯＦＦさせるリモコンキー３０を使用して駐車場１への入場及び駐車場１からの出場を行うものである。なお、この管理システムでは、リモコンキー３０を備えていない車両でも利用できるように、パスカードを使用可能なように構成されている。駐車場１は、図２に示すように、１階部分に入口２と出口３が設けられ、入口２及び出口３には車両を一時停止させるべく、入口ゲート１０，２０がそれぞれ設けられている。また、入口２には、入口ゲート１０の外側にパスカードを挿入する入力機６０が設けられ、出口３には出口ゲート２０の内側に入力機６０が設けられている。なお、この駐車場１は、その各フロアに事前料金精算機はない。
【００７３】
図１０は、この管理システムの概略を示すブロック図である。この図１０に示すように、管理システムは中央管理センター５０を備え、入口２における車両の入場及び出口３における車両の出場を集中管理している。中央管理センター５０には、制御部５２と、個々の車両に関する車両情報や、その車両の駐車情報などを記録する情報記録媒体５１を備えている。また、入口２には入口側センサ１３が設けられている一方で、出口３には出口側センサ２３が設けられている。更にこの管理システムには、契約等の際に、車両を登録するための登録用センサ６１が別途設けられている。
【００７４】
この登録用センサ６１は、駐車場１を利用する車両のリモコンキー３０の信号を読み取って、車両情報を予め記録するためのものであり、駐車場１を利用する事前に使用される。この登録用センサ６１によりリモコンキー３０からの信号が読み取られると、制御部５２の指令により、当該信号に基づく車両情報が記録媒体に記録される。なお、登録は入口側センサ１３を利用して行うようにシステム設計をしても構わない。この駐車場１は、原則として登録された車両のみが利用の対象となる。
【００７５】
なお、パスカードを利用する場合には、契約等の際に、各車両に割り当てられる車両情報が書き込まれる。この車両情報は、カードリーダー等により読み取られ、中央管理センター５０の情報記録媒体５１にも同時に記録される。
【００７６】
この管理システムでは、駐車場１の入出場に関し、入口２又は出口３の少なくとも一方で、リモコンキー３０の信号又はパスカードに書き込まれた車両情報いずれかにより所定情報の登録された車両か否かを認証する。そして、その車両が既登録の車両であると認証された場合に限り駐車場１への入場又は駐車場１からの出場を許可するものである。
【００７７】
この認証の手順について図１１を参照して説明する。
【００７８】
図１１は、駐車場１に車両を入場させる手順を示すフローチャートである。
【００７９】
駐車場１の入口２は、未登録の車両が駐車場１に進入することがないように入口ゲート１０が閉鎖されている。入口ゲート１０を開放させるためには、入口２に到着した車両が既登録の車両であることを認証する必要がある。認証の方法は、パスカードを使用する場合と、リモコンキー３０を使用する場合とがあり、まず、これらのいずれにより認証するのかが選択される（Ｓ５０）。
【００８０】
パスカードを利用するには、入口ゲート１０の外側に設置された入力機６０にパスカードを挿入する（Ｓ５１）。パスカードを挿入すると、そこに書き込まれた車両情報を読み取り、これに関連付けられる駐車情報が情報記録媒体５１から選択される（Ｓ５４）。選択された駐車情報に基づいて、パスカードが有効か否かが判断される（Ｓ５５）。パスカードが無効となる例としては、既に期限が切れている場合、駐車料金が滞納されている場合等がある。
【００８１】
有効なパスカードであると判断された場合には、入口ゲート１０が開放され（Ｓ５６）、駐車場１内へ車両を進入させることが可能となる（Ｓ５７）。一方、パスカードが無効なものと判断された場合には、入口ゲート１０は開放されることなく閉鎖状態が維持され、その車両の駐車場１への進入が拒否される（Ｓ５８）。
【００８２】
これに対し、リモコンキー３０を使用する場合には、入口２でリモコンキー３０の操作がなされる（Ｓ５２）。リモコンキー３０の操作により発信された信号は、入口側センサ１３により検知される。この場合には、検知された信号に基づいて、そのリモコンキー３０に対応する車両が登録されたものか否かが判断される（Ｓ５３）。登録されている場合には、その車両情報に関連付けられる駐車情報が情報記録媒体５１から選択される（Ｓ５４）。選択された駐車情報に基づいてそのリモコンキー３０に対応する車両の登録についての有効性が判断される。この場合にも、無効となる例として、期限切れ、駐車料金の滞納等がある。
【００８３】
有効と判断されると、入口ゲート１０が開放され（Ｓ５６）、駐車場１内へ車両を進入させることが可能となる（Ｓ５７）。一方、そのリモコンキー３０に対応する車両の登録が無効な場合には、入口ゲート１０は開放されることなく閉鎖状態が維持され、その車両の駐車場１への進入が拒否される（Ｓ５８）。
【００８４】
次に、出口３においてなされる手順について図１２を参照して説明する。なお、出口側の認証は、既に入場を許可された車両を対象にするものであり、出口３では、単に出口ゲート２０を開放させる手続のみがなされる。
【００８５】
この場合も、まずパスカードを使用するかリモコンキー３０を使用するかを選択する（Ｓ６０）。パスカードを使用する場合には、出口ゲート２０の内側に設置された入力機６０にパスカードを挿入する（Ｓ６１）。これにより、出口ゲート２０が開放され（Ｓ６３）、車両を出場させることが可能となる（Ｓ６４）。一方、リモコンキー３０を使用する場合には、出口ゲート２０の内側で一時停止された車両からリモコンキー３０の操作がなされる（Ｓ６２）。操作により発信されたリモコンキー３０の信号を出口側センサ２３が検知すると、制御部５２が出口ゲート２０を開放させる（Ｓ６３）。これにより、車両を駐車場１から出場させることが可能となる（Ｓ６４）。
【００８６】
なお、この第二実施形態にかかる駐車場１に関し、登録車両以外の車両についても当該駐車場１を利用させたいこともある。このような場合には、第一実施形態のところで説明した駐車券を入口２に設置すると共に、出口側料金精算機を出口３に設置すればよい。
【００８７】
以上、入口側で詳細な認証を行う場合を例に説明したが、入口２では、単に登録された車両であるか否かのみをチェックし、その登録が有効なものであるか否かの等の詳細な認証を出口側で行うようにしても構わない。この場合の手順を図１３及び図１４を参照して説明する。
【００８８】
図１３は車両を駐車場１に入場させる場合の手順を示すフローチャートである。
【００８９】
まず、入口ゲート１０前に一時停止された車両について、パスカードを使用するか、リモコンキー３０を使用するかが選択される（Ｓ７０）。パスカードを利用する場合、入力機６０にパスカードを挿入し（Ｓ７１）。そこに書き込まれた車両情報が登録されたものと一致するか否かが判断される（Ｓ７３）。一方、リモコンキー３０を使用する場合には、入口ゲート１０の手前でリモコンキー３０を操作し信号を発信させる（Ｓ７２）。この信号が入口側センサ１３により検知されると、これに対応する車両情報が登録されているか否かが判断される（Ｓ７３）。
【００９０】
判断の結果、予め記録された情報と一致する場合には、入口ゲート１０が開放され（Ｓ７４）、駐車場１内へ車両を進入させることが可能となる（Ｓ７５）。一方、一致するものが検索されない場合には、入口ゲート１０は開放されることなく閉鎖状態が維持され、その車両の駐車場１への進入が拒否される（Ｓ７６）。
【００９１】
これに対し、図１４は、車両を駐車場１から出場させる手順を示すフローチャートである。
【００９２】
この場合もまず、パスカードまたはリモコンキー３０のいずれにより認証するのかが選択される（Ｓ５０）。
【００９３】
パスカードを利用する場合、出口ゲート２０の外側に設置された入力機６０にパスカードを挿入する（Ｓ８１）。パスカードを挿入すると、そこに書き込まれた車両情報を読み取り、これに関連付けられる駐車情報が情報記録媒体５１から選択される（Ｓ８３）。次いで、選択された駐車情報に基づいて、パスカードが有効か否かが判断される（Ｓ８４）。有効なパスカードであると判断された場合には、出口ゲート２０が開放され（Ｓ８５）、駐車場１内へ車両を出場させることが可能となる（Ｓ８６）。一方、パスカードが無効なものと判断された場合には、出口ゲート２０は開放されることなく閉鎖状態が維持され、その車両の駐車場１からの出場が拒否される（Ｓ８７）。
【００９４】
これに対し、リモコンキー３０を使用する場合、出口３でリモコンキー３０の操作がなされ、リモコンキー３０から発信された信号は出口側センサ２３により検知される（Ｓ８２）。検知された信号に基づいて、その車両情報に関連付けられる駐車情報が情報記録媒体５１から選択される（Ｓ８４）。次いで、選択された駐車情報に基づいてそのリモコンキー３０に対応する車両の登録についての有効性が判断される（Ｓ８４）。有効と判断されると、出口ゲート２０が開放され（Ｓ８５）、駐車場１から車両を出場させることが可能となる（Ｓ８６）。一方、そのリモコンキー３０に対応する車両の登録が無効な場合には、出口ゲート２０は開放されることなく閉鎖状態が維持され、その車両の駐車場１からの出場が拒否される（Ｓ８７）。この場合、例えば再登録などの手続を行えば、有効な登録を行うことができ、駐車場の利用が可能となる（Ｓ８７）。
【００９５】
なお、この場合にも、第一実施形態のところで説明した駐車券を入口２に設置すると共に、出口側料金精算機を出口３に設置すれば、登録された車両以外の車両も当該駐車場１を利用することができる。
【００９６】
〔第三実施形態〕
次に本発明の第三実施形態について説明する。
【００９７】
この実施形態にかかる管理システムでは、車両に非接触式ＩＣチップ７４を設ける一方で、駐車場１自体には、この非接触式ＩＣチップ７４との間で信号を送受信するための送受信装置を設けたものである。
【００９８】
この管理システムでは、図１５に示すように、駐車場１が中央管理センター５０を設備えており、当該中央管理センター５０は種々の制御を行う制御部５２と、駐車場１を利用する車両に関する情報を記録する情報記録媒体５１とを備えている。この駐車場１の入口２及び出口３には、非接触式ＩＣチップ７４との間で信号を送受信するための送受信機７０，７２，７３と、車両の進行を規制するゲート１０，２０とがそれぞれ設けられている。また、出口３には駐車場１を利用した車両の駐車料金を精算するための出口側料金精算機２４が設置されている。
【００９９】
さらに、駐車場１の各フロアには駐車料金を事前に精算するための事前料金精算機４０が設置されており、この事前料金精算機４０にも車両に設けられた非接触式ＩＣチップ７４との間で信号を送受信するための算定用送受信機７３が設けられている。これら送受信機７０，７２，７３、ゲート１０，２０、料金精算機２４，４０はバスを介して中央管理センター５０に接続され、制御部５２の指令に基づいて適宜その作動が制御される。
【０１００】
一方、非接触式ＩＣチップ７４は、この駐車場１を利用する各車両に配布される小型チップであり、信号を受信するためのセンサと、その車両に関する車両情報を記録するメモリとから構成されている。この非接触式ＩＣチップ７４は例えば車両のフロントガラスの内側に取り付けられたり、場合によってはエンジンキーの柄の部分に取り付けられて使用される。この管理システムではかかる非接触式ＩＣチップ７４に記録された車両情報に基づいて車両の駐車場１への入場の許可、駐車場１からの出場の許可、並びに駐車料金の算定が行われる。なお、後述するように、非接触式ＩＣチップ７４を使用して事前に駐車料金を精算することができるように、この非接触式ＩＣチップ７４を車両から自在に取り外すことができるように構成しておくとよい。
【０１０１】
即ち、個々の車両に割り当てられる車両情報を含む信号が入口側送受信機７０から非接触式ＩＣチップ７４に送信されて、これを非接触式ＩＣチップ７４が受信することで非接触式ＩＣチップ７４に車両情報が書き込まれる。車両情報は、管理システムの制御部５２で実行されるプログラムにより発生される所定の規則に従った暗号データ等が使用される。また、車両情報は、中央管理センター５０の情報記録媒体５１に、当該車両情報に関連付けられる情報と共に記録される。車両情報に関連付けられる情報とは、例えば、車両が駐車場１に入場した時刻等、駐車料金を精算する際に必要となるデータである。
【０１０２】
なお、この実施形態にかかる管理システムにおいても、第一実施形態のようにパスカードを用いて駐車場１への入場及び駐車場１から出場を行えるようにシステムを設計することや、駐車券を利用できるように入口２に発券機１４を設け、事前料金精算機４０及び出口側料金精算機２４で駐車料金を精算できるようにシステム設計しても構わない。即ち、パスカード、駐車券５５、非接触式ＩＣチップ７４を単独で使用する場合に加え、パスカードと非接触式ＩＣチップ７４との併用、並びに駐車券５５と非接触式ＩＣチップ７４との併用を可能にしている。
【０１０３】
このような駐車場１では具体的に以下のようにして車両が管理される。なお、この管理システムについても、車両が駐車場１に入場してから、駐車料金を精算し、車両が駐車場１から出場するまでの手順の骨格はは第一実施形態に示したものと同様である。ここでは、非接触式ＩＣチップ７４を利用した場合の特有な事項について以下に説明する。
【０１０４】
まず、図１６を参照して、車両が駐車場１に入場する際の手順を説明する。
【０１０５】
車両は、駐車場１の入口２において、閉鎖された入口ゲート１０の外側で一時停止する。入口２に設置された入口側送受信機７０は、この車両に設けられた非接触式ＩＣチップ７４に対してその車両に割り当てられる車両情報を含む信号を送信する（Ｓ９０）。送信された信号は、非接触式ＩＣチップ７４に設けられたセンサが受信し（Ｓ９１）、信号に含まれる車両情報が非接触式ＩＣチップ７４に設けられているメモリに書き込まれる（Ｓ９２）。
【０１０６】
次いで、入口側送受信機７０から確認用の信号を送信し、メモリに車両情報が書き込まれたか否かを確認する（Ｓ９３）。メモリに車両情報が書き込まれていることの確認が取れた後、制御部５２はゲート開放させる（Ｓ９４）と共に、中央管理センター５０に備える情報記録媒体５１に当該車両情報、及びこの車両情報に関連付けられる駐車情報を記録させる（Ｓ９５）。この情報記録媒体５１に記録された車両情報及び駐車情報は、後に、駐車料金の算定及び駐車場１からの出場の制御に利用される。
【０１０７】
なお、上述のように、入場の際には、パスカードのみを使用して駐車場１に入場することできるようにシステム設計されている。パスカードのみを使用して入場可能にシステムを設計した場合、パスカードを挿入したときは、この図１６に示す手順は行われない。その一方で、パスカードと非接触式ＩＣチップ７４とを併用する用に設計した場合には、パスカードを入口で挿入すると共に、この図１６に示すことが行われる。
【０１０８】
さらに、駐車券５５と非接触式ＩＣチップ７４とを併用する場合には、ステップ９５の段階或いはこのステップ９５の前後で、車両情報の書き込まれた駐車券５５が発行される。
【０１０９】
次に図１７を参照して事前料金精算機４０を使用して駐車料金を予め精算する際の手順を説明する。まず、この事前料金精算機４０が備える算定用送受信機７３が車両の非接触式ＩＣチップ７４との間で信号を送受信させて車両情報を読み取る（Ｓ１００）。車両情報が読み取られると、情報記録媒体５１に記録された駐車情報を検索し、読み取られた車両情報と一致する車両情報に関連付けられる駐車情報を選択する（Ｓ１０１）。
【０１１０】
選択された駐車情報に基づき、制御部５２がその車両の駐車料金を算定する（Ｓ１０２）。例えば、駐車料金は、車両が駐車場１を利用した時間に応じて算定される。車両が駐車場１に入場する際に情報記録媒体５１には、車両が入場した時刻などの駐車情報が記録されるが、駐車時間は入場した時刻と精算する時刻との差に基づいて計算される。駐車場１の利用者はこのようにして算定された駐車料金を事前料金精算機４０で精算する。なお、この事前料金精算機４０を利用して駐車料金を精算すると、その事実が情報記録媒体５１に記録される。
【０１１１】
なお、非接触式ＩＣチップ７４を使用して事前料金精算機４０にて駐車料金を精算する場合には、上述のように、非接触式ＩＣチップ７４を車両から自在に取り外すことができるようにしておく。また、駐車券を使用して事前に駐車料金を精算することもできる。
【０１１２】
そして、図１８は駐車場１から車両を出場させる手順を示している。
【０１１３】
出口３では、車両は閉鎖された出口ゲート２０の手前で一時停止される。出口３に設置された出口側送受信機７２が、一時停止した車両に向けて信号を送信して車両に設けられた非接触式ＩＣチップ７４の車両情報を読み取る（Ｓ１１０）。車両情報が読み取られると、情報記録媒体５１に記録された駐車情報を検索し、読み取られた車両情報と一致する車両情報に関連付けられる駐車情報を選択する（Ｓ１１１）。選択された駐車情報から、事前料金精算機４０を使用して駐車料金が既に支払われたか否かを判定する（Ｓ１１２）。既に駐車料金が支払われている場合には、制御部５２は出口ゲート２０を開放させ車両を駐車場１から出場可能にする（Ｓ１１６）。
【０１１４】
一方、駐車料金が未払いの場合には、情報記録媒体５１に記録された駐車情報に基づいて制御部５２はその車両の駐車料金を算定する（Ｓ１１３）。そして、制御部５２は、出口側料金精算機２４に対して音声や表示などにより、利用者に算定された駐車料金を支払うように促す（Ｓ１１４）。利用者が駐車料金を支払えば（Ｓ１１５）、制御部５２が出口ゲート２０を開放させ、車両を駐車場１から出場可能とする（Ｓ１１６）。
【０１１５】
〔第四実施形態〕
次に月極で駐車料金を支払うなど、予め契約を交わした者だけが利用可能な駐車場に非接触式ＩＣチップ７４を利用した管理システムを適用する場合について説明する。
【０１１６】
図１９は、この管理システムの概要を示すブロック図である。この管理システムは、中央管理センター５０を備えており、この中央管理センター５０には、種々の制御を行う制御部５２と、駐車場を利用する車両に関する情報を記録する情報記録媒体５１とが設けられている。また、この駐車場の入口２及び出口３には、非接触式ＩＣチップ７４との間で信号を送受信するための送受信機７０，７２と、車両の進行を規制するゲート１０，２０とがそれぞれ設けられている。
【０１１７】
制御部５２は、入口側送受信機７０並びに出口側送受信機７２からの信号に基づいて情報記録媒体５１に記録された駐車情報を検索すると共に、入口ゲート１０の開閉、出口ゲート２０の開閉をそれぞれ行っている。
【０１１８】
一方、非接触式ＩＣチップ７４には、送受信機７０，７２からの信号を受信可能なセンサと、各車両に割り当てられる所定の車両情報の記録されたメモリとが設けられている。この非接触式ＩＣチップ７４は、車両のフロントガラスの内側やエンジンキーの柄の部分に取り付けられて使用される。入口２に設置された入口側送受信機７０、及び出口３に設けられた出口側送受信機７２は、車両に向けて信号を発信して車両に設けられた非接触式ＩＣチップ７４の車両情報を読み取っている。
【０１１９】
なお、この実施形態にかかる非接触式ＩＣチップ７４では、予め車両情報がメモリに書き込まれており、駐車場の利用者は、車両情報の書き込まれた非接触式ＩＣチップ７４を、駐車場を利用する前に予め受け取っておく。また、当該非接触式ＩＣチップ７４に書き込まれた車両情報は、この車両情報に関連付けられる駐車情報と共に、中央管理センター５０に設けられた情報記録媒体５１にも記録される。
【０１２０】
かかる管理システムでは、次のようにして駐車場１への入場、駐車場１からの出場が行われる。
【０１２１】
図２０は、駐車場に車両を入場させる手順の概略を示すフローチャートである。
【０１２２】
入場しようとする車両は閉鎖された入口ゲート１０の外側の直近で一時停止する。この一時停止した車両に向けて入口側送受信機７０から信号が送信され、車両に設けられた非接触式ＩＣチップ７４の車両情報を読み取る（Ｓ１２０）。車両情報を読み取ると、制御部５２は情報記録媒体５１を検索し（Ｓ１２１）、これと一致する車両情報に関する駐車情報が記録されているか否かを判定する（Ｓ１２２）。
【０１２３】
その結果、一致する車両情報自体が存在しない場合には、入口ゲート１０は閉鎖された状態が維持され、その車両の入場が拒否される（Ｓ１２３）。
【０１２４】
一方、一致する駐車情報が記録されている場合には、さらに、その登録が有効か無効かを判定する（Ｓ１２４）。例えば、駐車料金の滞納などがある場合にはその登録は無効と判定される。この場合、滞納分が支払われるまでその車両は駐車場を利用できない。このように無効と判定された場合にも入口ゲート１０は開放されず、閉鎖状態が維持されてその車両の入場が拒否される（Ｓ１２３）。これに対し、有効と判定された場合には、入口ゲート１０が開放され、車両を駐車場内へ進入させることが可能となる（Ｓ１２５）。
【０１２５】
そして、駐車場から車両を出場させる場合には、図２１のフローチャートに示す手順により行われる。この場合にも、出口ゲート２０の手前で一時停止された車両に向けて出口側送受信機７２から信号を送信して、車両に設けられた非接触式ＩＣチップ７４の車両情報を読み取る（Ｓ１３０）。読み取られた車両情報に基づき、制御部５２は情報記録媒体５１内を検索し（Ｓ１３１）、これと一致する車両情報に関する駐車情報が記録されているか否かを判定する（Ｓ１３２）。
【０１２６】
その結果、一致する車両情報自体が存在しない場合には、出口ゲート２０は閉鎖された状態が維持されて、その車両の出場は拒否される（Ｓ１３３）一方で、一致する駐車情報が記録されている場合には、出口ゲート２０が開放されて車両の出場が許可される（Ｓ１３５）。なお、この場合にも、その登録が有効か無効かが判定され（Ｓ１３４）、無効と判定された場合には出口ゲート２０は、閉鎖状態が維持されてその車両の入場が拒否される（Ｓ１３３）。
【０１２７】
なお、この第四実施形態にかかる管理システムでは、基本的に車両の入場の際に車両が登録されているか否か、その登録が有効か否かが判定できれば、出口３でこの判定を行う必要はない。このため、出口３では車両が出口ゲート２０に到達したことを確認するだけで出口ゲート２０を開放するようにしても構わない。
【０１２８】
また、この第四実施形態にかかる駐車場に関しても、契約によらず、一度限り使用するために、入口２に発券機を設ける一方で、出口３に精算機を設けても構わない。
【図面の簡単な説明】
【０１２９】
【図１】本発明の一実施形態にかかる駐車場の管理システムの概要を示すブロック図。
【図２】図１に示す管理システムを適用させる駐車場の一例を示す平面図。
【図３】リモコン発信機を備えたキーの一例を示す斜視図。
【図４】図２に示す駐車場の入口の概要を示す斜視図。
【図５】図２に示す駐車場の出口の概要を示す斜視図。
【図６】事前料金精算機の一例を示す斜視図。
【図７】図１に示す管理システムの適用された駐車場における車両の入場手順を示すフローチャート。
【図８】図１に示す管理システムの適用された駐車場において事前に駐車料金を精算する手順を示すフローチャート。
【図９】図１に示す管理システムの適用された駐車場における車両の出場手順を示すフローチャート。
【図１０】図１に示す管理システムとは別の実施形態にかかる駐車場の管理システムの概要を示すブロック図。
【図１１】図１０の管理システムの適用された駐車場における入場手順を示すフローチャート。
【図１２】図１０の管理システムの適用された駐車場における出場手順を示すフローチャート。
【図１３】登録の有効性をも判断した場合の入場手順を示すフローチャート。
【図１４】登録の有効性をも判断した場合の出場手順を示すフローチャート。
【図１５】本発明の第三実施形態にかかる駐車場の管理システムの概要を示すブロック図。
【図１６】図１５に示す管理システムの適用された駐車場における車両の入場手順を示すフローチャート。
【図１７】図１５に示す管理システムの適用された駐車場において事前に駐車料金を精算する手順を示すフローチャート。
【図１８】図１５の管理システムの適用された駐車場における出場手順を示すフローチャート。
【図１９】本発明の第四実施形態にかかる駐車場の管理システムの概要を示すブロック図。
【図２０】図１９に示す管理システムの適用された駐車場における車両の入場手順を示すフローチャート。
【図２１】図１９の管理システムの適用された駐車場における出場手順を示すフローチャート。
【符号の説明】
【０１３０】
１      駐車場
２      入口
３      出口
１０    入口ゲート
１３    入口側センサ
１４    発券機
２０    出口ゲート
２３    出口側センサ
２４    出口側料金精算機
２７    料金投入部
３０    リモコンキー
３１    発信機
３２    キー
４０    事前料金精算機
４２    算定用センサ
４４    料金投入部
５０    中央管理センター
５１    情報記録媒体
５２    制御部
５５    駐車券
６０    入力機
６１    登録用センサ
７０    入口側送受信機
７２    出口側送受信機
７３    算定用送受信機
７４    非接触式ＩＣチップ
【図１】
2005293170.tif 000003
【図２】
2005293170.tif 000004
【図３】
2005293170.tif 000005
【図４】
2005293170.tif 000006
【図５】
2005293170.tif 000007
【図６】
2005293170.tif 000008
【図７】
2005293170.tif 000009
【図８】
2005293170.tif 000010
【図９】
2005293170.tif 000011
【図１０】
2005293170.tif 000012
【図１１】
2005293170.tif 000013
【図１２】
2005293170.tif 000014
【図１３】
2005293170.tif 000015
【図１４】
2005293170.tif 000016
【図１５】
2005293170.tif 000017
【図１６】
2005293170.tif 000018
【図１７】
2005293170.tif 000019
【図１８】
2005293170.tif 000020
【図１９】
2005293170.tif 000021
【図２０】
2005293170.tif 000022
【図２１】
2005293170.tif 000023